(57)【要約】【課題】テレビジョン受信機への文字情報の入力を迅速かつ簡単に行なうこと【解決手段】テレビの文字情報を入出力するシステムであって、文字情報登録回路１と文字情報呼出回路１１とからなる。上記回路１は、携帯電話３、携帯電話用サーバ５及び両者を接続する通信ネットワーク７からなる。上記回路１１は、テレビ１３、受信情報を伝達するデジタル受信端末１５、上記テレビのための受信操作をするリモートコントローラ１７、上記デジタル受信端末に通信ネットワーク７を介して接続される受信端末用サーバ１９及び該受信端末用サーバに接続する登録情報保存用データベース２１とからなる。上記携帯電話用サーバと上記受信端末用サーバとは送受信可能に接続する。文字入力を上記回路１による登録と、上記回路１１による呼出とに分けることにより、見かけ入力効果が生じ、ユーザは、使い慣れている携帯電話３にて直感的な文字入力をすることができる。【選択図】図１
2006253736.tif 000002
【特許請求の範囲】
【請求項１】
テレビジョン受信機の文字情報を入出力するシステムであって、文字情報登録回路と文字情報呼出回路とからなり、文字情報登録回路は、携帯電話、携帯電話用サーバ及び両者を接続する通信ネットワークからなり、文字情報呼出回路は、テレビジョン受信機、該テレビジョン受信機に受信情報を伝達するデジタル受信端末、上記テレビジョン受信機のための受信操作をするリモートコントローラ、上記デジタル受信端末に通信ネットワークを介して接続される受信端末用サーバ及び該受信端末用サーバに接続する登録情報保存用データベースとからなり、上記携帯電話用サーバと上記受信端末用サーバとを送受信可能に接続することを特徴とするテレビジョン受信機の文字情報入出力システム。
【請求項２】
請求項１記載のテレビジョン受信機の文字情報入出力システムにおいて、上記携帯電話と上記携帯電話用サーバとを携帯電話のゲートウェイ装置を介して接続することを特徴とするテレビジョン受信機の文字情報入出力システム。
【請求項３】
請求項１記載のテレビジョン受信機の文字情報入出力システムにおいて、上記携帯電話用サーバと上記受信端末用サーバとを登録情報一時保存用データベースを介して接続することを特徴とするテレビジョン受信機の文字情報入出力システム。
【請求項４】
請求項１記載のテレビジョン受信機の文字情報入出力システムにおいて、上記携帯電話が複数からなることを特徴とするテレビジョン受信機の文字情報入出力システム。
【請求項５】
請求項１乃至請求項４いずれか一記載のテレビジョン受信機の文字情報入出力システムにおいて、上記リモートコントローラが上記テレビジョン受信機に各個別に対応することを特徴とするテレビジョン受信機の文字情報入出力システム。
【請求項６】
複数の居室が集合してなる共同住宅において、該共同住宅の個々の居室にテレビジョン受信機を設置し、該テレビジョン受信機、該テレビジョン受信機に受信情報を伝達するデジタル受信端末、上記テレビジョン受信機のための受信操作をするリモートコントローラ、上記デジタル受信端末に通信ネットワークを介して接続される受信端末用サーバ及び該受信端末用サーバに接続する登録情報保存用データベースから文字情報呼出回路を設けるとともに、携帯電話、携帯電話用サーバ及び両者を接続する通信ネットワークから文字情報登録回路を設け、上記携帯電話用サーバと上記受信端末用サーバとを送受信可能に接続することを特徴とする共同住宅。
【請求項７】
請求項６記載の共同住宅において、上記携帯電話と上記携帯電話用サーバとを携帯電話のゲートウェイ装置を介して接続することを特徴とする共同住宅。
【請求項８】
請求項６記載の共同住宅において、上記携帯電話用サーバと上記受信端末用サーバとを登録情報一時保存用データベースを介して接続することを特徴とする共同住宅。
【請求項９】
請求項６記載の共同住宅において、上記携帯電話が複数からなることを特徴とする共同住宅。
【請求項１０】
請求項６乃至請求項９いずれか一記載の共同住宅において、上記リモートコントローラが上記テレビジョン受信機に各個別に対応することを特徴とする共同住宅。
【発明の詳細な説明】
【技術分野】
【０００１】
本願発明は、テレビジョン受信機の文字情報入出力システム及び該システムを設置した共同住宅に関する。
【背景技術】
【０００２】
例えば、賃貸アパートや賃貸マンションの場合、昨今の経済情勢下、入居者の確保が段々むつかしくなってきている。
【０００３】
空室率が大きくなると賃貸経営に影響を及ぼすため、例えばアパートやマンションを建てて棟ごと売却し買主から一括して借受けアパートやマンションの賃貸を代行する方式の場合、賃貸経営が悪化し、また建物の売却にも影響を及ぼす。
【０００４】
そこで、賃貸物件の差別化を図り入居者の増大を図る必要が生ずる。
【０００５】
従来においては、賃貸物件の差別化は建物自体のデラックス化、広スペース化の方向で対応していた。
【０００６】
しかし、これではコストがかかり、また地域によっては実行が困難なところもあり、昨今の経済情勢には合致しない。
【０００７】
出願人の調査によれば、賃借人とくに若年層は余暇の時間にテレビジョン受信機にてレンタルビデオや映画放送を見たり、インターネット通信の利用率が高い。
【０００８】
例えばテレビショッピングをする場合、リモートコントローラにてテレビジョン受信機に文字情報を入力するには、従来次のようにしていた。まず、文字入力ボタンを押して画面上にソフトウェアキーボードを表示させ、マウス操作ボタンによりマウスを動かして文字を選択した後、決定ボタンを押して決定し表示する。その際、ソフトウェアキーボードにおいては、直感的に文字を入力できないこと、ソフトウェアキーボードとリモコンの組み合わせによって操作感の違いが生じること、文字の入力が多くの場合ローマ字入力となっていること等により、上記のような操作を１個々々の文字について入力するのが大変な作業となる。
【０００９】
これは、テレビジョン受信機に入力情報を伝達するセットトップボックス（ＳＴＢ）と呼ばれるデジタル受信端末の規格が未だ統一されておらず、機能も性能も千差万別であるためである。また操作性についても画面のデザインユーザーインターフェイスとリモートコントローラの関係は非常に重要であり、とりわけ文字入力はキーボードが標準仕様でないため最も操作性が困難となっている。
【発明の開示】
【発明が解決しようとする課題】
【００１０】
そこで、本願発明においては爆発的に普及し大多数の人が簡単に操作している携帯電話を使って、従来多大の手間と時間がかかっていたテレビジョン受信機への文字情報の入力を迅速かつ簡単に行なうことを目的とする。
【課題を解決するための手段】
【００１１】
上記目的達成のため、本願発明によるテレビジョン受信機の文字情報入出力システムは、テレビジョン受信機の文字情報を入出力するシステムであって、文字情報登録回路と文字情報呼出回路とからなり、文字情報登録回路は、携帯電話、携帯電話用サーバ及び両者を接続する通信ネットワークからなり、文字情報呼出回路は、テレビジョン受信機、該テレビジョン受信機に受信情報を伝達するデジタル受信端末、上記テレビジョン受信機のための受信操作をするリモートコントローラ、上記デジタル受信端末に通信ネットワークを介して接続される受信端末用サーバ及び該受信端末用サーバに接続する登録情報保存用データベースとからなり、上記携帯電話用サーバと上記受信端末用サーバとを送受信可能に接続することを特徴とする。
また、請求項１記載のテレビジョン受信機の文字情報入出力システムにおいて、上記携帯電話と上記携帯電話用サーバとを携帯電話のゲートウェイ装置を介して接続することを特徴とする。
また、請求項１記載のテレビジョン受信機の文字情報入出力システムにおいて、上記携帯電話用サーバと上記受信端末用サーバとを登録情報一時保存用データベースを介して接続することを特徴とする。
また、請求項１記載のテレビジョン受信機の文字情報入出力システムにおいて、上記携帯電話が複数からなることを特徴とする。
また、請求項１乃至請求項４いずれか一記載のテレビジョン受信機の文字情報入出力システムにおいて、上記リモートコントローラが上記テレビジョン受信機に各個別に対応することを特徴とする。
また本願発明は、複数の居室が集合してなる共同住宅において、該共同住宅の個々の居室にテレビジョン受信機を設置し、該テレビジョン受信機、該テレビジョン受信機に受信情報を伝達するデジタル受信端末、上記テレビジョン受信機のための受信操作をするリモートコントローラ、上記デジタル受信端末に通信ネットワークを介して接続される受信端末用サーバ及び該受信端末用サーバに接続する登録情報保存用データベースから文字情報呼出回路を設けるとともに、携帯電話、携帯電話用サーバ及び両者を接続する通信ネットワークから文字情報登録回路を設け、上記携帯電話用サーバと上記受信端末用サーバとを送受信可能に接続することを特徴とする。
また、請求項６記載の共同住宅において、上記携帯電話と上記携帯電話用サーバとを携帯電話のゲートウェイ装置を介して接続することを特徴とする。
また、請求項６記載の共同住宅において、上記携帯電話用サーバと上記受信端末用サーバとを登録情報一時保存用データベースを介して接続することを特徴とする。
また、請求項６記載の共同住宅において、上記携帯電話が複数からなることを特徴とする。
また、請求項６乃至請求項９いずれか一記載の共同住宅において、上記リモートコントローラが上記テレビジョン受信機に各個別に対応することを特徴とする。
【発明の効果】
【００１２】
本願発明によれば、文字情報登録回路に携帯電話を使って住所、氏名等予め登録しておきたい情報（登録情報）を登録しておく。ユーザがリモートコントローラによりテレビジョン受信機の受信操作をすると、文字情報呼出回路が作動し登録情報をテレビジョン受信機の画面上に表示する。よってユーザは恰もリモートコントローラによりテレビジョン受信機に文字情報を直接入力しているように感じることになる。これを「見かけ入力効果」と呼ぶ。
【００１３】
このように本願発明によれば、文字入力を文字情報登録回路による登録という裏面上の入力と、文字情報呼出回路による登録情報の呼出という表面上の入力に分けることにより、上記した「見かけ入力効果」が生じる。これにより、ユーザは、テレビジョン受信機に付属されているリモートコントローラの機能に左右されることなく、普段から使い慣れている携帯電話にて直感的な文字入力をすることができる。また登録情報は頻繁に使う文字が保存されているから、これをリモートコントローラにてワンタッチで呼出すことができる。よって本願発明によれば、一連の文字入力操作をストレスなく行なうことができ、体感的にもテレビジョン受信機の操作感覚で違和感なく、文字入力操作を迅速かつ簡単に行なうことができる。
【発明を実施するための最良の形態】
【００１４】
次に、実施の形態を示す図面に基づき本願発明によるテレビジョン受信機の文字情報入出力システム及び該システムを設置した共同住宅をさらに詳しく説明する。なお、便宜上同一の機能を奏する部分には同一の符号を付してその説明を省略する。
【００１５】
文字情報登録回路１は、携帯電話３と、携帯電話用サーバ５と、両者を接続するインターネット回線７とからなる。携帯電話３は多数からなり、該携帯電話３とインターネット回線７とは携帯電話のゲートウェイ装置９を介して接続されている。６は上記携帯電話用サーバ５に接続される登録情報一時保存用データベースであり、携帯電話３から携帯電話用サーバ５に送信された登録情報を一時保存し、後記する受信端末用サーバ１９に送信する。上記携帯電話用サーバ５はｗｗｗサーバ５Ａと、アプリケーションサーバ５Ｂと、ウェブアプリケーション５Ｃとからなる。
【００１６】
文字情報呼出回路１１は、テレビジョン受信機１３と、該テレビジョン受信機１３に受信情報を伝達するデジタル受信端末１５と、該デジタル受信端末１５に向けて上記テレビジョン受信機１３が受像するための受信操作をするリモートコントローラ１７と、上記デジタル受信端末１５にインターネット回線７を介して接続される受信端末用サーバ１９と、該受信端末用サーバ１９に接続する登録情報保存用データベース２１とからなる。上記受信端末用サーバ１９は文字情報登録回路１を構成する登録情報一時保存用データベース６に接続される。
【００１７】
図３に上記したテレビジョン受信機の文字情報入出力システムを設置する共同住宅２３を示す。共同住宅２３は複数の居室２５が集合してなり、各居室２５に上記したテレビジョン受信機１３とともに、文字情報登録回路１及び文字情報呼出回路１１が設置されている。便宜上、左上の居室２５のみについて文字情報登録回路１及び文字情報呼出回路１１を図示してある。図中２７は図示しない衛星用ルータ、Ｌ３スイッチハブ、ルータ及びメディアコンバータからなる棟内装置、２９はアンテナ、３０は地域局である。
【００１８】
図４にリモートコントローラ１７を示す。該リモートコントローラ１７は、各居室２５に設置される個々のテレビジョン受信機１３に各個別に対応して設けられる。リモートコントローラ１７は、図４に示すようになっており、１７ａは電源ボタン、１７ｂは「メニュー」ボタン、１７ｃは「マイレンタル」ボタン、１７ｄは「ヘルプ」ボタン、１７ｅは「ＵＲＬ入力」ボタン、１７ｆは「文字入力」ボタン、１７ｇは「チャンネル」ボタン、１７ｈは「ボリューム」ボタン、１７ｉは「衛星放送」ボタン、１７ｊは「選択」ボタン、１７ｋは「進む」「戻る」ボタン、１７ｌは「決定」ボタン、１７ｍは「再生／一時停止」ボタン、１７ｎは「停止」ボタン、１７ｐは「早送り」ボタン、１７ｑは「巻き戻し」ボタン、１７ｒは「消音」ボタン、１７ｓは「映画」ボタン、１７ｔは「テンキー」ボタン、等からなる。
【００１９】
携帯電話３にて入力されたコンテンツと受信端末用サーバ１９との間のインターフェースは図５に示す通りである。
【００２０】
上記登録情報保存用データベース２１に登録するフォーム登録用のデータベースの実施例を図６に示す。図中「ＣＨＡＲ」とは「ＣＨＡＲＡＣＴＥＲ」の略であり、固有の文字又は数値からなり、データの内容によって任意に設定される。
【００２１】
本願発明による文字情報の入出力は、携帯電話３を操作することにより文字情報登録回路１を使用して行なう。携帯電話３により所定のＵＲＬにアクセスすると、図７（Ａ）に示す入力画面が表示されるので、所定のユーザＩＤ、パスワード及び入力フォーム番号を入力する。例えば、ユーザ認証の入力コンテンツは、図５（Ａ）に示した通りである。
【００２２】
次いで「次へ」のボタンを押すと、図７（Ｂ）に示すように、上記入力フォーム番号に対応する入力画面が表示されるので、ここで住所、氏名等予め登録しておきたい情報（登録情報）を入力する。
【００２３】
次いで「登録」のボタンを押すと図７（Ｃ）に示す画面が表示され、上記入力情報が登録され「登録情報」となる。
【００２４】
例えば「アンケート入力」の場合は、図７（Ｂ）に示すように、入力すべき回答ボックスの番号が表示されるので、入力すべきボックスを次々に選択し、所望の事項を入力していく。
【００２５】
上記登録情報は携帯電話用サーバ５より登録情報一時保存用データベース６に送信されて一時保存された後、文字情報呼出回路１１の受信端末用サーバ１９に送信され、登録情報保存用データベース２１に保存される。
【００２６】
ユーザがテレビショッピング等において、テレビジョン受信機１３に文字入力したいときはリモートコントローラ１７を使用して行なう。例えば「アンケート入力」の場合、テレビジョン受信機１３に図８（Ａ）に示すような入力画面が表示されるので、「入力フォーム番号」を入力し、「登録情報参照」ボタンを押すことにより、「氏名」「住所」等をワンタッチにて入力することができる。登録されていない場合は、図８（Ｂ）に示すようなエラー画面が表示されるので、図７で述べたところに従って携帯電話３から登録したい情報を登録しておく。
【００２７】
本願発明は上記した実施の形態に制限されない。例えば、携帯電話３の個数は任意である。またリモートコントローラ１７のボタンの配列形態は図示例のものに限られない。さらにデジタル受信端末１５はテレビジョン受信機１３と一体型のものであってもよい。
【産業上の利用可能性】
【００２８】
本願発明はテレビジョン受信機の文字情報入出力システム及び該システムを設置した共同住宅に、さらには双方向の通信システムに活用することができる。
【図面の簡単な説明】
【００２９】
【図１】本願発明によるテレビジョン受信機の文字情報入出力システムの実施の形態を示すシステム構成図である。
【図２】図１の携帯電話用サーバの詳細を示すブロック図である。
【図３】本願発明にかかるテレビジョン受信機の文字情報入出力システムを設置した共同住宅の実施例を示す概略図である。
【図４】図１のリモートコントローラの実施例を示す正面図である。
【図５】本願発明にかかる携帯電話と受信端末用サーバとの間のインターフェースを示す図である。
【図６】本願発明にかかるフォーム登録用のデータベースの実施例を示す図である。
【図７】図１の携帯電話の入力画面を示す図である。
【図８】図１のテレビジョン受信機の入力画面を示す図である。
【符号の説明】
【００３０】
１    文字情報登録回路
３    携帯電話
５    携帯電話用サーバ
６    登録情報一時保存用データベース
７    インターネット回線
９    ゲートウェイ装置
１１  文字情報呼出回路
１３  テレビジョン受信機
１５  デジタル受信端末
１７  リモートコントローラ
１９  受信端末用サーバ
２１  登録情報保存用データベース
２３  共同住宅
２５  居室
２７  棟内装置
２９  アンテナ
３０  地域局
【図１】
2006253736.tif 000003
【図２】
2006253736.tif 000004
【図３】
2006253736.tif 000005
【図４】
2006253736.tif 000006
【図５】
2006253736.tif 000007
【図６】
2006253736.tif 000008
【図７】
2006253736.tif 000009
【図８】
2006253736.tif 000010